(57)【要約】  工作機械（３０）は工具取付装置及びワーク取付装置のいずれか一方又は両者の軸移動の制御を行う主制御部（１１０）と、手動運転モードと自動運転モードとの切り替えを行う自動運転モードボタン（１５）、手動運転モードボタン（１６）と、手動運転モードのときの主制御部（１１０）による軸移動の対象の軸を選択する軸選択ボタン（２０〜２９）、軸選択ダイヤル（１６６）と、加工工具（４８）によるワークの加工領域（７０）をカバーするドア（３７）と、ドア（３７）に設けられて、作業者が加工領域（７０）を監視可能な窓部（３９）を備える。操作された軸選択ボタン（２０〜２９）又は軸選択ダイヤル（１６６）により選択された軸の移動方向を窓部（３９）に表示する透過型表示装置（６０）を備える。
2014054104.tif 000002
【特許請求の範囲】
【請求項１】
加工工具を装着する工具取付装置と、
前記加工工具により加工されるワークを装着するワーク取付装置と、
前記工具取付装置及び前記ワーク取付装置のいずれか一方又は両者の軸移動の制御を行う制御部と、
手動運転モードと自動運転モードとの切り替えを行うモード切替部と、
手動運転モードにおける前記制御部による軸移動の対象の軸を選択する軸選択スイッチと、
前記加工工具による前記ワークの加工領域をカバーするカバー部と、
前記カバー部に設けられて、作業者が前記加工領域を監視可能な窓部を備える工作機械において、
前記手動運転モードに切り替えられたとき、
前記工作機械が備える軸の方向を軸構成モデルとして前記窓部に表示する手動操作補助表示部を備えることを特徴とする工作機械。
【請求項２】
前記軸選択スイッチとして軸選択ボタンを備え、該軸選択ボタンは前記制御部による軸移動の対象の軸を指定し、指定された軸に対して軸移動指令信号を出力するものであり、
前記手動運転モードは、前記軸選択ボタンの信号に基づいて軸移動動作を行う工作機械において、
前記手動運転モードで前記軸選択ボタンが押された場合、
前記手動操作補助表示部は、前記軸構成モデルにおける前記軸選択ボタンにより選択された軸の移動方向の強調表示を行い、
前記制御部は、前記手動操作補助表示部による前記軸の移動方向の強調表示から遅延して前記軸の移動を行うことを特徴とする請求項１に記載の工作機械。
【請求項３】
前記軸選択スイッチとして軸選択ボタンを備え、該軸選択ボタンは前記制御部による軸移動の対象の軸を指定し、指定された軸に対して軸移動指令信号を出力するものであり、
前記手動運転モードは、前記軸選択ボタンの信号に基づいて軸移動動作を行う工作機械において、
前記軸選択ボタンは、オフ信号の他に押し込む量によって更に２つの異なる信号が出力される押しボタンスイッチであり、
前記手動運転モードで前記軸選択ボタンが押された場合、
前記手動操作補助表示部は、前記軸構成モデルにおける前記軸選択ボタンの浅い動作位置での出力により指定された軸の移動方向の強調表示を行い、
前記制御部は、前記軸選択ボタンの深い動作位置での出力により前記軸の移動を行うことを特徴とする請求項１に記載の工作機械。
【請求項４】
前記手動運転モードにおける軸移動指令信号を出力する軸移動指令信号発生器を更に備え、
前記手動運転モードは、前記軸選択スイッチで選択された軸に対して前記軸移動指令信号発生器の信号に基づいて軸移動動作を行う工作機械において、
前記手動運転モードが選択されているとき、
前記手動操作補助表示部は、前記軸構成モデルにおける前記軸選択スイッチにより選択された軸を強調表示することを特徴とする請求項１に記載の工作機械。
【請求項５】
前記制御部は、特定の場所に位置しているときに特定の方向への軸移動を禁止するインターロック機能を有し、
前記手動操作補助表示部は、前記軸構成モデルにおける軸移動禁止のインターロックがかかっている軸の方向については、軸移動禁止状態であることを表示することを特徴とする請求項１乃至請求項４のうちいずれか１項に記載の工作機械。
【請求項６】
前記工具取付装置と、前記ワーク取付装置のそれぞれのモデルをバリア領域として入力する手段を有し、
前記工具取付装置と、前記ワーク取付装置の少なくともいずれか一方を、手動運転モードで動作させるときに、制御部内部のモデルで動作シミュレーションを行い、動作に伴う干渉が発生しないよう、バリア領域手前の徐行領域で減速後徐行し、バリア領域の境界線で停止するバリア機能を有し、
前記手動操作補助表示部は、前記軸構成モデルにおける前記徐行領域に位置している軸の徐行すべき方向について、徐行中であることを表示することを特徴とする請求項１乃至請求項５のうちいずれか１項に記載の工作機械。
【請求項７】
前記軸構成モデルは、前記軸の方向を示す矢印を表示することを特徴とする請求項１乃至請求項６のうちいずれか１項に記載の工作機械。
【請求項８】
前記軸構成モデルは、前記工作機械の移動自在の構成部材を示すシンボルと、該構成部材の移動方向を示す矢印を表示することを特徴とする請求項１乃至請求項６のうちいずれか１項に記載の工作機械。
【請求項９】
前記手動操作補助表示部は、前記シンボルを移動方向に向かって移動させるアニメーションで表示することを特徴とする請求項８に記載の工作機械。
【発明の詳細な説明】
【技術分野】
【０００１】
本発明は、工作機械に関する。
【背景技術】
【０００２】
従来、工作機械では、図１６（ａ）及び図１６（ｂ）に示すように、スプラッシュガード１０等で覆われる加工領域１３にて、図示しない工具主軸に取り付けられた工具によりワークが加工される。前記スプラッシュガード１０等には透明板１２が嵌め込まれた窓部１１が設けられている。作業者Ｍは、前記窓部１１を介して前記加工領域１３を監視可能である。また、スプラッシュガード１０の前記窓部１１に近接した部位には操作盤１４が回動自在に支持されていて、前記窓部１１を監視する作業者Ｍにより操作可能になっている。前記操作盤１４は、図１６（ｂ）に示すように操作盤１４の操作面１４ａを正面側に向く位置と、図１７（ｂ）に示すように操作面１４ａが前記窓部１１に対して交差する方向、例えば、操作面１４ａが正面のスプラッシュガード１０に対して直交する位置、など、作業者Ｍにより操作盤１４は可動範囲内の任意の角度で固定可能である。このようにして、操作盤１４が回転可能に設けられていると、作業者の立ち位置に応じて操作盤１４の回転位置が変更できるため、立ち位置を変更せずに操作盤１４の操作ができる利点がある。【０００３】
また、図７（ａ）に示すように操作盤１４の操作面１４ａには、自動運転モードボタン１５及び手動運転モードボタン１６が設けられて、これらのいずれかを操作することにより、自動運転モードあるいは手動運転モードのモード選択が可能になっている。【０００４】
自動運転モードボタン１５には、テープ運転モードボタン１５ａ、メモリ運転モードボタン１５ｂ、ＭＤＩ（マニュアル・データ・インプット）運転モードボタン１５ｃを含み、手動運転モードボタン１６には、手動パルスモードボタン１６ａ、ジョグモードボタン１６ｂ、早送りモードボタン１６ｃ、原点復帰モードボタン１６ｄを含む。更に手動パルスモードボタン１６ａは、手動パルス発生器で発生させるパルスの１パルスあたりの移動量を選択するための、手動パルス０．０００１ｍｍモードボタン１６ａ（１）、手動パルス０．００１ｍｍモードボタン１６ａ（２）、手動パルス０．０１ｍｍモードボタン１６ａ（３）、手動パルス０．１ｍｍモードボタン１６ａ（４）を含む。また、操作盤１４には、図７（ａ）に示すように、工作機械の各軸を手動で操作するための各種の軸選択ボタン２０〜２９が操作面１４ａに設けられ、その軸選択ボタンを操作すると、該軸選択ボタンに対応する工作機械の構成部材を軸方向に移動、又は当該軸の回りに回転させることができる。例えば、図７（ａ）に示す例では、軸選択ボタンは、＋Ｘ軸選択ボタン２０、−Ｘ軸選択ボタン２１、＋Ｙ軸選択ボタン２２、−Ｙ軸選択ボタン２３、＋Ｚ軸選択ボタン２４、−Ｚ軸選択ボタン２５、＋Ａ軸選択ボタン２６、−Ａ軸選択ボタン２７、＋Ｃ軸選択ボタン２８及び−Ｃ軸選択ボタン２９を含む。前記＋Ｘ軸選択ボタン２０は、図７（ａ）に示すように、正面からみて右側に位置するとともに、−Ｘ軸選択ボタン２１は、左側に位置する。【０００５】
手動運転モード、例えばジョグモードが選択されて、＋Ｘ軸選択ボタン２０又は−Ｘ軸選択ボタン２１が操作されると、Ｘ軸の＋方向、又は−方向に工具主軸或いはテーブルを移動させることが可能である。【０００６】
ここで操作盤１４が図１６（ｂ）に示す位置、すなわち、操作面１４ａが正面を向いている場合、前記＋Ｘ軸ボタン２０と−Ｘ軸選択ボタン２１の並びは、工作機械のＸ軸の＋方向及び−方向と一致している。しかし、作業者Ｍは、前記加工領域１３を監視するために前記窓部１１側寄りに位置しており、操作面１４ａから離間しているため、操作面１４ａのボタン操作がし難く、逆に操作するために操作面１４ａの前に作業者Ｍが立つと、加工領域１３が見難い問題がある。【０００７】
一方、操作盤１４が図１７（ａ）及び図１７（ｂ）に示す位置、すなわち、操作面１４ａが前記窓部１１に対して交差する方向に位置している場合、前記窓部１１側寄りに位置する作業者Ｍに対向して操作面１４ａが位置するため、作業者Ｍは、前記加工領域１３を監視しながら操作面１４ａのボタン操作がやりやすい長所がある。【０００８】
しかし、図１７（ｂ）に示すように、操作盤１４の、＋Ｘ軸ボタン２０と−Ｘ軸選択ボタン２１の並びが、工作機械におけるＸ軸の＋方向及び−方向と一致しなくなる。このため、操作に不慣れな作業者の場合、操作を誤る虞がある。【０００９】
なお、例として＋Ｘ軸選択ボタン２０と−Ｘ軸選択ボタン２１の並びについて説明したが、工作機械の軸の方向と操作盤上の関連するボタンの並びが一致しない例は他にもあり、上記の例は単なる一例である。複数の軸構成の工作機械では、軸の組み合わせは３次元的に配置されるのに対して、操作面１４ａは２次元であるため、軸選択ボタンの並びを擬似的に配置する必要がある。例えば、図７（ａ）に示す例では、Ｙ軸は工作機械の前後方向であるのに対して、操作面１４ａ上の＋Ｙ軸選択ボタンと−Ｙ軸選択ボタンは、上下の方向に配置される。このため、不慣れな作業者では、−Ｙ軸と＋Ｙ軸についても誤操作する虞がある。他の軸選択ボタンについても、以上のような問題がある場合がある。【００１０】
特許文献１では、工作機械に設けられた加工情報投影装置が提案されている。前記加工情報投影装置は、ハーフミラーと、加工情報を発光し表示する表示手段とを備えている。前記ハーフミラーは、前記工作機械の加工領域を監視可能な位置であって、かつ、作業者に前記表示手段が発光した画像を反射する位置に設けられ、さらに、前記加工領域からの入射光の一部を前記作業者側へ透過するように設けられている。そして、前記加工情報投影装置では、前記表示手段が発光し表示された前記加工情報が前記ハーフミラーに投影されて反射された画像と、前記ハーフミラーを透過して見える加工領域の実像とを、作業者が同時に見ることができる。【００１１】
しかしながら、特許文献１では、自動運転における加工情報が表示されるだけで、工作作機械を手動操作するために、手動運転モードが選択された際における、上記課題は提示されていないとともに、該課題を解決する手段は開示されていない。
【先行技術文献】
【特許文献】
【００１２】
【特許文献１】特開平１１−１５６６７７号公報
【発明の概要】
【発明が解決しようとする課題】
【００１３】
本発明の目的は、手動運転モードで操作される際に、工作機械の加工領域を監視するために設けられた窓部に軸選択ボタンの移動方向を表示して、作業者の軸選択ボタンの誤操作を抑制することができる工作機械を提供することにある。
【課題を解決するための手段】
【００１４】
上述した課題を解決するため、本発明の工作機械は、加工工具を装着する工具取付装置と、前記加工工具により加工されるワークを装着するワーク取付装置と、前記工具取付装置及び前記ワーク取付装置のいずれか一方又は両者の軸移動の制御を行う制御部と、手動運転モードと自動運転モードとの切り替えを行うモード切替部と、手動運転モードにおける前記制御部による軸移動の対象の軸を選択する軸選択スイッチと、前記加工工具による前記ワークの加工領域をカバーするカバー部と、前記カバー部に設けられて、作業者が前記加工領域を監視可能な窓部を備える工作機械において、前記手動運転モードに切り替えられたとき、前記工作機械が備える軸の方向を軸構成モデルとして前記窓部に表示する手動操作補助表示部を備えるものである。【００１５】
この構成によれば、作業者が、窓から見える工作機械内部の各構成部材の位置関係と照らし合わせて、軸選択スイッチを操作したときの軸の移動方向を理解可能であり、正しくかつ素早く軸の操作ができるようになり、軸選択スイッチの誤操作を抑制するとともに、作業者の負担を非常に小さくすることができる。また、正しくかつ素早く軸選択スイッチの操作ができることから、手動介入が頻繁に行われる初品の加工時間の短縮が可能となる。【００１６】
前記軸選択スイッチとして軸選択ボタンを備え、該軸選択ボタンは前記制御部による軸移動の対象の軸を指定し、指定された軸に対して軸移動指令信号を出力するものであり、前記手動運転モードは、前記軸選択ボタンの信号に基づいて軸移動動作を行う工作機械において、前記手動運転モードで前記軸選択ボタンが押された場合、前記手動操作補助表示部は、前記軸構成モデルにおける前記軸選択ボタンにより選択された軸の移動方向の強調表示を行い、前記制御部は、前記手動操作補助表示部による前記軸の移動方向の強調表示から遅延して前記軸の移動を行うことが好ましい。【００１７】
この構成によれば、手動運転モードで軸選択ボタンが押されたとき、前記軸の移動方向の強調表示が行われた後、遅延して軸移動が行われる。このため、作業者は、強調表示された軸の移動方向が、所望している軸の移動方向でない場合には、遅延している時間中に、その軸選択スイッチの操作を解除することができる。【００１８】
前記軸選択ボタンは、オフ信号の他に押し込む量によって更に２つの異なる信号が出力される押しボタンスイッチであり、前記手動運転モードで前記軸選択ボタンが押された場合、前記手動操作補助表示部は、前記軸構成モデルにおける前記軸選択ボタンの浅い動作位置での出力により指定された軸の移動方向の強調表示を行い、前記制御部は、前記軸選択ボタンの深い動作位置での出力により前記軸の移動を行うことが好ましい。【００１９】
この構成によれば、手動運転モードで軸選択ボタンを操作するとき、軸選択ボタンの操作を軽い力でまず行うことで軸の移動方向の強調表示を行わせ、その後より強い力で操作することで軸移動を行うようにしている。このため、作業者は、強調表示された軸の移動方向が所望している軸の移動方向でない場合には、その軸選択スイッチを更に押し込まないようにして、軸移動の誤操作を回避することができる。【００２０】
前記手動運転モードにおける軸移動指令信号を出力する軸移動指令信号発生器を更に備え、前記手動運転モードは、前記軸選択スイッチで選択された軸に対して前記軸移動指令信号発生器の信号に基づいて軸移動動作を行う工作機械において、前記手動運転モードが選択されているとき、前記手動操作補助表示部は、前記軸構成モデルにおける前記軸選択スイッチにより選択された軸を強調表示することが好ましい。【００２１】
この構成によれば、手動運転モードが選択されているとき、軸構成モデルにおける軸選択スイッチにより選択された軸が窓部に強調表示されるため、作業者は、軸選択スイッチにより選択された軸を軸移動の操作を行う前に確認できる。【００２２】
前記制御部は、特定の場所に位置しているときに特定の方向への軸移動を禁止するインターロック機能を有し、前記手動操作補助表示部は、前記軸構成モデルにおける軸移動禁止のインターロックがかかっている軸の方向については、軸移動禁止状態であることを表示することが好ましい。【００２３】
この構成によれば、軸移動禁止のインターロックがかかっている軸について、前記窓部に前記軸が軸移動禁止状態である旨が表示されるため、作業者は、操作しようとした軸選択スイッチが軸移動禁止のインターロックがかかっていることを実際に操作する前に知ることができる。【００２４】
前記工具取付装置と、前記ワーク取付装置のそれぞれのモデルをバリア領域として入力する手段を有し、前記工具取付装置と、前記ワーク取付装置の少なくともいずれか一方を、手動運転モードで動作させるときに、制御部内部のモデルで動作シミュレーションを行い、動作に伴う干渉が発生しないよう、バリア領域手前の徐行領域で減速後徐行し、バリア領域の境界線で停止するバリア機能を有し、前記手動操作補助表示部は、前記軸構成モデルにおける前記徐行領域に位置している軸の徐行すべき方向について、徐行中であることを表示することが好ましい。【００２５】
この構成によれば、徐行中であることが表示されているため、作業者が所望の速度ではなく、徐行速度で移動しても違和感なく操作ができる。また、作業者は徐行方向が分かることで容易に干渉の回避方向を知ることができる。【００２６】
前記軸構成モデルは、前記軸の方向を示す矢印を表示することが好ましい。【００２７】
この構成によれば、手動操作補助表示部が、軸の方向を矢印で示してくれるので、作業者は移動させる軸や方向を間違えることなく、操作することができる。【００２８】
前記軸構成モデルは、前記工作機械の移動自在の構成部材を示すシンボルと、該構成部材の移動方向を示す矢印を表示することが好ましい。【００２９】
この構成によれば、どの構成部材がどの方向へ移動するかが分かりやすく表示されるので、手動操作の軸移動における誤操作が減る。【００３０】
前記手動操作補助表示部は、前記シンボルを移動方向に向かって移動させるアニメーションで表示することが好ましい。【００３１】
この構成によれば、手動操作補助表示部が、前記シンボルを移動方向に向かって移動させるアニメーションで表示するので、どの構成部材がどの方向へ移動するかが、より分かり易い。
【図面の簡単な説明】
【００３２】
【図１】ドア開状態の工作機械の正面図。
【図２】ドア閉状態の工作機械の正面図。
【図３】工作機械の要部斜視図。
【図４】工作機械の制御装置のブロック図。
【図５】窓部に設けられた手動操作補助表示部の正面図。
【図６】軸の方向を示す表示態様の説明図。
【図７】（ａ）は、操作盤の操作面の正面図、（ｂ）は、別の実施形態における一部操作面の正面図。
【図８】軸の方向を示す表示態様の説明図。
【図９】（ａ）は、軸選択ボタンのオフ状態の位置の説明図、（ｂ）は、軸選択ボタンのオン状態の位置の説明図。
【図１０】別の実施形態において、（ａ）は、軸選択ボタンのオフ状態の位置の説明図、（ｂ）は、軸選択ボタンの浅い動作位置のオン状態の位置の説明図、（ｃ）は、軸選択ボタンの深い動作位置のオン状態の位置の説明図。
【図１１】（ａ）は、実施例の軸選択ボタンで軸移動操作するインターフェイス回路図、（ｂ）は、実施例の軸選択ダイヤルと手動パルス発生器で軸移動操作するインターフェイス回路図、（ｃ）は、別の実施例の軸選択ダイヤルと軸方向ボタンで軸移動操作するインターフェイス回路図。
【図１２】軸移動禁止のインターロックがかかっている軸を示す表示態様の説明図。
【図１３】軸移動により他の部材と干渉の虞がある場合の徐行中の軸を示す表示態様の説明図。
【図１４】工作機械の可動部を簡略化して平面視した場合の軸の移動方向を示す表示態様の説明図。
【図１５】工作機械の可動部を簡略化して平面視した場合であって、可動部をアニメーション化して軸の移動方向を示す表示態様の説明図。
【図１６】（ａ）は、操作盤の操作面を正面側に向けたときの工作機械の窓部周辺の正面図、（ｂ）は、同じく概略平面図。
【図１７】（ａ）は、操作盤の操作面を窓部に対して直角に向けたときの工作機械の窓部周辺の正面図、（ｂ）は、同じく概略平面図。
【発明を実施するための形態】
【００３３】
１．  構成の説明
以下、本発明を具体化した工作機械の一実施形態を図１〜図１５を参照して説明する。
【００３４】
本実施形態の工作機械３０は５軸工作機械であって、図１に示すように装置本体３１と、装置本体３１を囲むスプラッシュガード３３と、操作盤１４を備える。なお、操作盤１４に関しては、前記従来例で説明した構成と同一又は相当する構成については、同一符号を付す。
【００３５】
図３に示すように、装置本体３１のベッド３２の後部上面には、複数個のリニアガイドレール３４がＸ軸方向すなわち機械の左右方向に、それぞれ平行に設けられている。これらリニアガイドレール３４は、サドル３６の下面に設けられたリニアガイドブロック３５と係合し、リニアガイドレール３４にガイドされてサドル３６が、Ｘ軸方向に移動自在にされている。又、サドル３６下面には、図示しないボールネジナットが装着されており、該ボールネジナットがベッド３２に設けられた図示しないボールネジ軸に螺合されている。そして、サドル３６は、ベッド３２に設けられた図４に示すＸ軸駆動モータＭｘにて前記ボールネジ軸が正逆回転されることにより、Ｘ軸方向に往復移動可能とされている。
【００３６】
サドル３６上面には、複数個のリニアガイドレール３８がＹ軸方向すなわち機械の前後方向に、それぞれ平行に設けられている。これらリニアガイドレール３８は、コラム４０の下面に設けられたリニアガイドブロック４１と係合し、前記リニアガイドレール３８にガイドされてコラム４０が、Ｙ軸方向に移動自在にされている。又、コラム４０下面には、図示しないボールネジナットが装着されており、該ボールネジナットがサドル３６に設けられた図示しないボールネジ軸に螺合されている。そして、コラム４０は、サドル３６に設けられた図４に示すＹ軸駆動モータＭｙにて前記ボールネジ軸が正逆回転されることにより、Ｙ軸方向に往復移動可能とされている。
【００３７】
コラム４０の正面側の側面には、複数個のリニアガイドブロック４２がＺ軸方向すなわち機械の上下方向に、それぞれ平行に設けられている。リニアガイドブロック４２上には、リニアガイドレール４４が係合されている。リニアガイドレール４４は、工具主軸ヘッド４６のコラム側の側面に設けられており、リニアガイドブロック４２にガイドされて、Ｚ軸方向に移動自在にされている。工具主軸ヘッド４６のコラム側の側面には、図示しないボールネジナットが設けられており、該ボールネジナットがコラム４０に設けられた図示しないボールネジ軸に螺合されている。そして、工具主軸ヘッド４６は、コラム４０に設けられた図４に示すＺ軸駆動モータＭｚにて前記ボールネジ軸が正逆回転されることにより、Ｚ軸方向に往復移動可能とされている。
【００３８】
前記工具主軸ヘッド４６は、ビルトイン型の工具主軸モータＭｓ（図４参照）を備えており、該工具主軸モータＭｓにてスピンドル４７が回転駆動可能とされている。前記スピンドル４７には、ミル加工を行うための加工工具４８が取り付け可能になっている。
【００３９】
サドル３６、コラム４０及び前記工具主軸ヘッド４６は工具取付装置の一例である。
【００４０】
ベッド３２上には、円盤状に形成されたテーブル５０が設けられている。テーブル５０は、チルト型旋回テーブルである。テーブル支持ベース５４が、ベッド３２上に支持された支持部材５２にＡ軸の回りで旋回可能に支持され、テーブル５０は、該テーブル支持ベース５４上に、前記Ａ軸と直交するＣ軸の回りで旋回可能に設けられている。前記テーブル支持ベース５４は、支持部材５２に設けられたＡ軸駆動モータＭａ（図４参照）が正逆回転されることにより、Ａ軸の回りで、＋Ａ方向と−Ａ方向に旋回可能である。テーブル５０は、テーブル支持ベース５４内に設けられたＣ軸駆動モータＭｃ（図４参照）が正逆回転されることにより、Ｃ軸の回りで、＋Ｃ方向と−Ｃ方向に旋回可能である。
【００４１】
工具取付装置であるサドル３６、コラム４０及び前記工具主軸ヘッド４６の各動作によって前記加工工具４８がワークを加工する空間領域を、加工領域７０と称する。また、支持部材５２、テーブル支持ベース５４、及びテーブル５０はワーク取付装置の一例である。
【００４２】
図１に示すように、装置本体３１の正面側に設けられたスプラッシュガード３３には、開口部３３ａが設けられるとともに、前記開口部３３ａを開閉するドア３７が開閉自在に設けられている。すなわち、ドア３７は、図２に示す開口部３３ａを閉鎖する閉鎖位置と、図１に示す開放位置間を横方向にスライド自在に設けられている。前記ドア３７が開放されると、作業者は、開口部３３ａを介して前記加工領域７０にアクセス可能である。
【００４３】
前記装置本体３１の正面側に設けられたスプラッシュガード３３は、前記加工領域７０で発生する切り屑やクーラントの飛散防止及び回収などの機能を有している。
【００４４】
前記ドア３７には、窓部３９が設けられている。前記窓部３９は、透過型表示装置６０により閉塞されている。前記透過型表示装置６０は、透過型液晶パネル、或いは透過型有機ＥＬパネル等が用いられている。前記透過型表示装置６０は、手動操作補助表示部のハードウェアの一例である。
【００４５】
前記透過型表示装置６０は、前記加工領域７０側が透けて見えるように透明な表示面６０ａを有する平面ディスプレイである。また、図５に示すように、前記表示面６０ａは、本実施形態では、四角平面状に形成され、その周辺及びコーナには、文字、画像、或いは動画などの情報が表示される表示領域６０ｂ、６０ｃ、６０ｄを有する。
【００４６】
前記窓部３９の透過型表示装置６０を介して作業者は、前記加工領域７０でのワークの加工、及び加工工具４８の動作等を監視可能である。
【００４７】
透過型表示装置６０での各種情報の表示の仕方については、後述する。
【００４８】
図１及び図２に示すように、操作盤１４は、正面側に設けられたスプラッシュガード３３に対して、前記開口部３３ａに隣接するようにブラケット６２を介して回転自在に支持されている。操作盤１４は、操作面１４ａと、液晶表示装置等からなるディスプレイ１４ｂ及び入力キー群１４ｃを備えている。
【００４９】
操作面１４ａには、図７（ａ）に示すように、テープ運転モードボタン１５ａ、メモリ運転モードボタン１５ｂ、ＭＤＩ運転モードボタン１５ｃの自動運転モードボタン１５や、手動パルスモードボタン１６ａ、ジョグモードボタン１６ｂ、早送りモードボタン１６ｃ、原点復帰モードボタン１６ｄの手動運転モードボタン１６、及び手動運転モードで使用される各種の軸選択ボタン２０〜２９が設けられている。前記ボタン１５ａ〜１５ｃ、１６ａ〜１６ｄ、２０〜２９は、自己復帰型押しボタンスイッチであって、図９（ｂ）に示すように操作面１４ａから操作盤内部に押圧されたオン位置と、図９（ａ）に示すようにオン位置よりも操作盤外部に突出したオフ位置に位置して、それぞれの位置で、オン信号とオフ信号の２値信号を生成する２値スイッチである。
【００５０】
軸選択ボタン２０〜２９は、手動運転モードで動作させる軸を指定し、当該軸を移動させる指令を出力するものである。ジョグモード、早送りモード、原点復帰モードに選択されている時に軸選択ボタン２０〜２９を押すことで、該当する軸を移動させることができる。
【００５１】
操作面１４ａには、手動パルス発生器１６２のハンドル１６５、軸選択ダイヤル１６６、早送り速度調整スイッチ１６７、及びジョグ送り速度調整スイッチ１６８が設けられている。
【００５２】
手動パルス発生器１６２の前記ハンドル１６５は、軸の移動量を発生させるためのダイヤル式ハンドルである。ダイヤル１目盛り回転させることで１個のパルスを発生させることができる。左右逆方向に回転させることで、符号を反転させたパルス列を発生させ、＋方向あるいは−方向へ軸移動させることができる。手動パルス発生器１６２は、軸移動指令信号発生器の一例であり、前記パルスは軸移動指令信号の一例である。
【００５３】
前記軸選択ダイヤル１６６は、手動パルスモードで軸移動を行う対象の軸を選択するためのダイヤル式スイッチである。具体的には、操作面１４ａ上の所定角度毎にＯＦＦ、Ｘ、Ｚ、Ｃ、Ｙ及びＡが印されており、Ｘ、Ｚ、Ｃ、Ｙ及びＡが印されたいずれかの位置にダイヤル１６６上のカーソルを合わせることにより、手動パルスモードでの軸移動を行う対象の軸が選択される。
【００５４】
前記早送り速度調整スイッチ１６７は、ダイヤル式スイッチであって、早送りモード及び原点復帰モードにおいて軸選択ボタン２０〜２９をオン操作した時の、あるいは、自動運転モードにおいて実行される位置決め動作（Ｇ００）時の、早送り速度に乗算される早送りオーバーライド、すなわち倍率を選択するためのものである。
【００５５】
前記ジョグ送り速度調整スイッチ１６８は、ダイヤル式スイッチであって、ジョグモードにおいて軸選択ボタン２０〜２９をオン操作した時のジョグ送り速度、あるいは、自動運転モードにおいて加工プログラムで指令した切削送り速度に乗算される切削送りオーバーライドを選択するものである。
【００５６】
前記自動運転モードボタン１５は、オン操作されると工作機械３０を各種の自動運転モードに変更するためのボタンである。図示しない入力インターフェイスを介して外部から加工プログラムを入力しながら運転するテープ運転モード、後述するＣＮＣ制御装置１００の加工プログラムメモリ１２０に格納された加工プログラムで運転するメモリ運転モード、単独の実行コードを操作盤からその場で作業者が入力して実行するＭＤＩ（マニュアル・データ・インプット）運転モードがあるが、ここでは説明を省略する。
【００５７】
前記手動パルスモードボタン１６ａは、手動パルスモードに設定するためのモード選択ボタンである。手動パルスモードボタン１６ａは４個あり、手動パルス発生器１６２から発生されるパルスの１パルスあたりの移動量を、０．０００１ｍｍ、０．００１ｍｍ、０．０１ｍｍ、０．１ｍｍの４種類から選択するために、それぞれのモードボタンが設けられている。
【００５８】
前記ジョグモードボタン１６ｂは、前記軸選択ボタン２０〜２９を使用して、軸のジョグ送りを行うモード選択ボタンである。移動速度は前記ジョグ送り速度調整スイッチ１６８の選択による。
【００５９】
早送りモードボタン１６ｃは、前記軸選択ボタン２０〜２９を使用して、軸の早送りを行うモード選択ボタンである。移動速度は前記早送り速度調整スイッチ１６７の選択による。
【００６０】
原点復帰モードボタン１６ｄは、前記軸選択ボタン２０〜２９を使用して、軸の原点復帰を行うモード選択ボタンである。移動速度は前記早送り速度調整スイッチ１６７の選択による。
【００６１】
また、操作面１４ａに設けられた入力キー群１４ｃは、データ入力のためのキーボード、テンキー等の各種のキー、ファンクションキー等を含む。
【００６２】
自動運転モードボタン１５及び手動運転モードボタン１６は、モード切替部の一例である。前記軸選択ボタン２０〜２９及び軸選択ダイヤル１６６は、軸選択スイッチの一例である。
【００６３】
前記装置本体３１の正面側に配置されるドア３７及びスプラッシュガード３３は、カバー部の一例である。
【００６４】
工作機械３０には、図４に示すＣＮＣ制御装置１００が設けられている。ＣＮＣ制御装置１００は、ＣＰＵからなる主制御部１１０を有している。主制御部１１０にはバス線１０５を介して加工プログラムを格納する加工プログラムメモリ１２０、システム全体のプログラムを格納するシステムプログラムメモリ１３０、作業用メモリ１４０、加工制御部１５０、表示データメモリ１７０、ディスプレイ１４ｂを表示制御する表示コントローラ１７２、透過型表示装置６０を表示制御する表示コントローラ１７４、前記操作盤１４及び手動パルス発生器１６２に電気的に接続されたインターフェイス１６４等が接続されている。
【００６５】
前記操作盤１４の操作面１４ａ上に設けられた前記各種ボタン、及びスイッチの操作による各種信号は、インターフェイス１６４を介して、主制御部１１０に入力される。また、手動パルス発生器１６２により発生されたパルス信号も、インターフェイス１６４を介して主制御部１１０に入力される。
【００６６】
表示データメモリ１７０には、ディスプレイ１４ｂ及び透過型表示装置６０にそれぞれ表示するための各種表示データが格納されている。透過型表示装置６０に表示するための表示データには、軸の方向を示すためのシンボル、各種の警告表示データ、各種の禁止表示データ、現在の工作機械の状態を表す表示データ、作業者に各種の操作を促す表示データ等が含まれている。
【００６７】
表示コントローラ１７２は、操作盤１４のディスプレイ１４ｂを表示制御するものであり、ＮＣ工作機械用としては周知であるので詳細は省略する。
【００６８】
表示コントローラ１７４は、手動運転モードで工作機械を操作する時に、前記表示データメモリ１７０に格納されている各種の表示データを、透過型表示装置６０の表示領域に、表示制御する。
【００６９】
また、主制御部１１０には、バス線１０５を介して、Ｘ軸制御部２００、Ｙ軸制御部２１０、Ｚ軸制御部２２０、Ａ軸制御部２３０、Ｃ軸制御部２４０及び主軸制御部２５０が接続されている。各軸制御部は、主制御部１１０の各軸（５軸）の移動指令を受けて、各軸の移動指令を駆動回路２０２、２１２、２２２、２３２、２４２、２５２に出力する、各駆動回路は、この移動指令を受けて、各軸（Ｘ、Ｙ、Ｚ、Ａ、Ｃ、及び工具主軸）のモータＭｘ、Ｍｙ、Ｍｚ、Ｍａ、Ｍｃ、Ｍｓを駆動する。主制御部１１０は、軸の移動を行う制御部の一例である。
【００７０】
２．  実施形態の作用及び効果
次に、上記のように構成された工作機械３０の作用を説明する。
【００７１】
（手動運転モードへの切り替え操作の場合一般）
手動運転モードのいずれかのモードにモード変換する場合の、各モードに共通の作用に関して説明する。
【００７２】
作業者Ｍが図７（ａ）に示す手動パルス０．０００１ｍｍモードボタン１６ａ（１）、手動パルス０．００１ｍｍモードボタン１６ａ（２）、手動パルス０．０１ｍｍモードボタン１６ａ（３）、手動パルス０．１ｍｍモードボタン１６ａ（４）、ジョグモードボタン１６ｂ、早送りモードボタン１６ｃ、原点復帰モードボタン１６ｄのいずれかの手動運転モードボタンをオン操作すると、選択された手動運転モードボタンのオン信号が図４に示すインターフェイス１６４を介して主制御部１１０に入力される。前記オン信号の入力により、主制御部１１０は選択された手動運転モードに切り替わり、前記オン信号を表示コントローラ１７４に転送する。
【００７３】
前記オン信号の入力により、表示コントローラ１７４は、工作機械の軸の方向を表す軸構成モデル１７９の表示用データである軸構成表示データを表示データメモリ１７０から読み出して、図５に示すように、前記透過型表示装置６０の表示面６０ａにおいて、コーナーの表示領域６０ｂに表示する。この軸構成モデル１７９は、図６に示すように、Ｘ軸、Ｙ軸及びＺ軸の各＋方向、−方向に矢印を付した直交座標軸のシンボル１８０と、前記シンボル１８０を中央に配置する球１８１と、その球１８１の周囲において、Ｃ軸の移動方向を示す矢印１８２、１８３と、Ａ軸の移動方向を示す矢印１８４からなる。また、図６に示すように、前記軸構成モデル１７９は、各軸に軸名称及び方向、すなわち＋Ｘ、−Ｘ、＋Ｙ、−Ｙ、＋Ｚ、−Ｚ、＋Ａ、−Ａ、＋Ｃ、−Ｃが付されている。
【００７４】
また、図５では説明の便宜上省略しているが、図６に示すように、表示コントローラ１７４は、前記軸構成モデル１７９の上部の領域に手動運転モードであることを示すために、前記オン信号、すなわち選択された手動運転モードのオン信号に応じて、「ＨＡＮＤＬＥ  ＭＯＤＥ」、「ＪＯＧ  ＭＯＤＥ」、「ＲＡＰＩＤ  ＭＯＤＥ」、又は「原点復帰モード」の表示を行う。すなわち、ボタン１６ａ（１）〜１６ａ（４）のオン操作では「ＨＡＮＤＬＥ  ＭＯＤＥ」が、ボタン１６ｂのオン操作では「ＪＯＧ  ＭＯＤＥ」が、ボタン１６ｃのオン操作では「ＲＡＰＩＤ  ＭＯＤＥ」が、ボタン１６ｄのオン操作では「原点復帰モード」の表示が行われる。
【００７５】
また、前記軸構成モデル１７９の下部の表示領域には、手動パルスモードの場合は入力された手動運転モードの信号に応じて１パルスあたりの移動量を表示し、ジョグモードの場合はジョグ送り速度調整スイッチ１６８で選択されたジョグ送り速度を、早送りモードと原点復帰モードの場合は早送り速度調整スイッチ１６７で選択された早送りオーバーライド値を、それぞれ表示する。ジョグ送り速度調整スイッチ１６８で選択された信号、及び早送り速度調整スイッチ１６７で選択された信号は、操作盤１４からインターフェイス１６４を介して主制御部１１０に入力された信号を主制御部１１０が表示コントローラ１７４に転送したものである。
【００７６】
以上の作用により、手動運転モードに切り替わると、前記窓部３９に工作機械が備える軸の構成が表示されるので、作業者がこれから軸移動させようとしている軸がどの軸でどの方向かを、実際の機械やワークの姿勢と照らし合わせて確認することができるため、軸の方向を間違いなく決定することができる。たとえ図１７（ａ）及び図１７（ｂ）に示す位置に作業者Ｍが立ち、操作盤上の軸選択ボタンの並びが工作機械の軸の方向と一致していない場合であっても、作業者Ｍは窓部に表示される軸構成モデル１７９で軸名称と方向を確認しているので、操作を行う上での不安感はなく、また、誤操作の可能性も極めて低くなる。
【００７７】
正しくかつ素早く軸選択ボタンの操作ができることから、手動介入が頻繁に行われる初品の加工時間の短縮が可能となる。さらには、複雑な軸構成の工作機械に対する初心者の操作教育、補助に大いに貢献できる。
【００７８】
（軸選択信号と移動指令信号を同時に出力して動作する手動運転モードの場合）
図７（ａ）に示される軸選択ボタン２０〜２９は、ジョグ送りモード、早送りモード、原点復帰モードにおける軸移動動作を行うスイッチである。図１１（ａ）にインターフェイス回路の実施例を示す。軸選択ボタン２０〜２９から出力された信号、＋Ｘ、−Ｘ、＋Ｙ、−Ｙ、＋Ｚ、−Ｚ、＋Ａ、−Ａ、＋Ｃ、−Ｃによって軸移動動作が行われる。
【００７９】
主制御部１１０は、作業者Ｍが操作した、軸選択ボタン２０〜２９のいずれか１つが図９（ｂ）に示すオン位置に操作されると、軸選択ボタンからの信号に基づいて指定された軸及び方向を特定して、特定結果を、表示コントローラ１７４に出力する。表示コントローラ１７４は、特定された軸の方向の矢印、すなわち軸の移動方向を強調表示する。軸の方向の矢印を強調表示する場合は、指定された軸の矢印の指定された方向を示す半分を強調表示する。図８に、早送りモードにおいて＋Ｚ軸選択ボタン２４が押されたときの表示例を示す。Ｃ軸の方向をあらわす矢印１８２、１８３のように、２つの矢印で方向が表現されている場合は、指定された方向を表すいずれか一方の矢印を強調表示する。強調表示の仕方は限定するものではないが、例えば、強調表示しない部分については目立たない色表示に対して、強調表示する部分を目立つ色とする。或いは、強調表示する部分を点滅表示し、強調表示しない部分は減光表示する。或いは、強調表示する部分は高明度で表示し、強調表示しない部分は低明度で表示する。
【００８０】
そして、作業者が、操作した軸選択ボタンを長押して、所定時間経過すると、主制御部１１０は、軸選択ボタンで指定された軸について、前記ジョグ送り速度調整スイッチ１６８で選択されたジョグ送り速度、あるいは、前記早送り速度調整スイッチ１６７で選択された倍率、すなわち、早送りオーバーライドで、軸移動の制御を行う。なお、ジョグ送りモード、早送りモード、あるいは原点復帰モードでの制御の詳細は周知であるため、説明を省略する。
【００８１】
上記のように構成された工作機械は、操作された軸選択ボタン２０〜２９により指定された軸の移動方向を窓部３９に強調表示する透過型表示装置６０を備える。軸選択ボタン２０〜２９を押し続けると、強調表示後所定時間経過して初めて軸移動が開始される。なお、該所定時間は、予めメモリに入力され、記憶されている値に基づく時間であり、変更可能である。
【００８２】
この構成によれば、作業者が軸選択ボタン２０〜２９の移動方向の情報を、視線を変えることなく入手が可能となり、万が一誤操作しても実際に軸移動する前に誤操作を自覚し、操作を中止できる。
【００８３】
上記実施形態では、軸選択ボタン２０〜２９は、２値スイッチとしたが、該実施形態の構成中、２値スイッチの代わりに図１０（ａ）〜（ｃ）に示すように自己復帰型の３値スイッチとしてもよい。３値スイッチは、オフ位置と、オフ位置よりも操作端が低い高さ、すなわち浅い動作位置である第１オン位置と、前記第１オン位置よりも操作端がさらに低い、つまり深い動作位置である第２オン位置の３つの位置を取ることが可能である。軸選択ボタン２０〜２９が第１オン位置に操作された場合、第１オン位置で生成するオン信号に基づいて、表示コントローラ１７４は、軸選択ボタン２０〜２９で指定された軸に関して、その軸移動方向を示す矢印を強調表示する。
【００８４】
また、軸選択ボタン２０〜２９が第２オン位置迄操作された場合、軸選択ボタン２０〜２９が第２オン位置で生成するオン信号に基づいて、主制御部１１０は、軸選択ボタン２０〜２９で選択された軸について、当該軸の駆動モータを作動させて軸動作を開始させる。
【００８５】
このように構成されていると、ジョグモード、早送りモード、又は原点復帰モードにおいて、軸選択ボタン２０〜２９の操作の押す力の強弱によって、軸の移動方向の強調表示と、実際の軸移動の遅延時間を作業者が意図的に調節することができる。このため、未だ機械操作に慣れていない作業者は、一旦軽く押して軸の移動方向を確認した後に強く押して軸を移動させることができ、安全、且つ安心して軸移動操作を行うことができる。一方、機械の操作に慣れた作業者は始めから強く押すことで素早く軸移動を行うことができる。
【００８６】
（軸移動指令信号発生器を備える手動運転モードの場合）
図７（ａ）に示す手動パルス発生器１６２は、軸移動指令信号発生器である。本実施例では、手動パルスモードにおいて手動パルス発生器１６２を操作して軸移動動作を行う。軸移動の対象の軸は軸選択スイッチである軸選択ダイヤル１６６で選択される。図１１（ｂ）にインターフェイス回路の実施例を示す。
【００８７】
手動パルスモードが選択されているとき、前記軸構成モデル１７９において軸選択ダイヤル１６６で選択されている軸を強調表示する。具体的には、主制御部１１０は、軸選択ダイヤル１６６からの信号に基づいて軸選択ダイヤル１６６で選択された軸を特定して、特定結果を、表示コントローラ１７４に出力する。表示コントローラ１７４は、軸選択ダイヤル１６６で選択された軸を強調表示する。強調表示の仕方は、以下に述べる強調表示する部分を除いて、前記ジョグ送りモード等の場合と同様であるため、説明を省略する。
【００８８】
強調表示する部分に関して、前記ジョグ送りモード等においては、図８に示すように選択された軸の方向の矢印、すなわち特定の軸の特定の方向の矢印を強調表示していた。しかし、このモードにおいては、図６に示すように選択された軸の矢印全体、すなわち、選択された軸の＋、−の両方向について強調表示する。
【００８９】
手動パルスモードにおける軸移動については、周知であるため、説明を省略する。
【００９０】
なお、ジョグモード、早送りモード、原点復帰モードにおける軸選択スイッチとして、図７（ｂ）に示すように手動パルスモードと同様の軸選択ダイヤル１６９を備え、軸移動指令信号発生器として＋軸方向ボタン１６０と−軸方向ボタン１６１を備え、各モードを選択後、＋方向又は−方向の軸方向ボタンを押すことで、手動での軸移動を行うことができるようにしてもよい。こうすることにより、ジョグモード、早送りモード、原点復帰モードであっても、各モードが選択されているときに、軸選択スイッチにより選択されている軸を強調表示することができる。図１１（ｃ）に、この場合のインターフェイス回路の実施例を示す。
【００９１】
この結果、軸選択スイッチで動作する軸を選択し、軸移動指令信号発生器で軸移動を操作する手動運転モードでは、軸選択スイッチにより選択された軸が窓部に強調表示されるため、作業者は、軸選択スイッチにより選択された軸が作業者の意図する軸か否かを、軸移動操作する前に確認できるものとなる。
【００９２】
（禁止表示、警告表示）
本実施形態では、さらに、手動パルスモード、及びその他の手動運転モードにおいて、下記のようになんらかの障害がある場合は、主制御部１１０は、禁止表示、又は、警告表示を行う。
○禁止表示
一般的に機械原点は、直線軸のＸ、Ｙ、Ｚ軸の場合、＋方向のストロークエンドに設定され、各軸とも−領域が加工領域とされる。すなわち、各直線軸の原点位置より＋方向へは移動が禁止され、軸移動禁止のインターロックがかかっている。また回転軸においても、＋方向及び−方向のストロークエンドが設定され、そのストロークエンドより外の方向へは軸移動禁止のインターロックがかかっている。各軸がストロークエンドに位置するときは、手動運転モードにおいて、ストロークエンドの外側への軸移動禁止のインターロックがかかっていることを作業者に分かり易く示すために、表示コントローラ１７４は、表示データメモリ１７０から禁止表示シンボルデータを読み出して図１２に示すように、禁止を示す禁止表示シンボル１８５を軸移動の方向を示す矢印先端頭部近傍に表示する。すなわち、インターロックがかかっている軸の方向については軸移動禁止状態であることを表示する。図１２の例では、Ａ軸の＋方向のストロークエンドに位置しており、これ以上＋Ａに軸移動できないため、＋Ａの近傍に禁止表示シンボル１８５が表示された例である。
【００９３】
なお説明の便宜上、機械原点をストロークエンドとして説明したが、ストロークエンドは機械原点に限定するものではなく、機械原点以外の点をストロークエンドとした場合にも、ストロークエンドに位置しているときに有効ストロークの外へ出る方向に対して軸移動が禁止され、表示されることは言うまでもない。
【００９４】
また、加工領域の外に出て自動工具交換（ＡＴＣ）を行うようにした工作機械の場合、ＡＴＣ実行時のみＡＴＣ位置へのＸ軸、Ｙ軸、Ｚ軸のいずれかの軸の移動が許されるように構成される。一般に、加工領域外に切削屑やクーラントが飛散しないよう、ＡＴＣカバーが設けられる。加工領域外のＡＴＣ位置に最も近いストロークエンドにＸ軸、Ｙ軸、Ｚ軸のいずれかの軸のＡＴＣ待機位置が設定されるが、ＡＴＣカバーが閉じた状態でＡＴＣ待機位置に位置決めすると、ストロークエンドに位置決めされたため軸移動が禁止され、ＡＴＣ位置へ向かう方向を示す矢印先端頭部近傍に禁止表示シンボル１８５が表示される。その後ＡＴＣカバーが開くと、軸移動禁止が解除され、表示されていた禁止表示シンボル１８５は消される。このように、カバーの開閉に伴ってインターロック状態が変化する様な場合であっても、軸移動禁止状態であることを表示するため、動作条件が整ったか否かを、実際に動作させることなく作業者は知ることができる。
【００９５】
また、後述するバリア機能によってバリア領域の境界線上に停止した場合も、バリア領域内に向かう方向の軸移動が禁止され、禁止表示シンボル１８５が表示される。この禁止表示シンボルの表示により、作業者は、軸移動の操作をしても移動できないことを事前に知ることができ、無用な混乱を避けることができる。
○警告表示（徐行中であることを表示）
支持部材５２やテーブル支持ベース５４は、加工領域７０に存在し、Ａ軸位置によって姿勢変化するため、スピンドル４７や加工工具４８との間で干渉が発生する危険性が高い。そのため、本実施形態の工作機械では、バリア機能が装備されている。操作盤１４には、前記工具取付装置及び前記ワーク取付装置の一例で挙げた各構成部材のモデルをバリア領域として入力するための、入力キー群１４ｃが設けられている。なお、入力キー群１４ｃは、バリア領域として入力する手段の一例であり、入力キー群１４ｃに限定するものではない。
【００９６】
主制御部１１０は、自動運転モード時は勿論、手動運転モード時であっても設定されたバリア領域を内部のモデルで動作シミュレーションを実行し、干渉を回避可能である。
【００９７】
この場合、主制御部１１０は、設定されたバリア領域の手前に設定された徐行領域に工具取付装置が入ると、前記工具取付装置を減速後徐行させ、バリア領域の境界線上で停止させるように構成されている。なお、前記徐行領域はパラメータにて徐行距離として設定される。この徐行領域に工具取付装置が突入すると、早送り速度調整スイッチ１６７やジョグ送り速度調整スイッチ１６８で設定された送り速度と徐行領域での徐行速度の低い方で主制御部１１０は、工具取付装置を移動制御するので、作業者に操作上の違和感を与える。この違和感を解消するため、主制御部１１０は、工具取付装置が徐行領域に位置していること、すなわち、工具取付装置が徐行中であることを示す警告表示を表示コントローラ１７４に出力する。表示コントローラ１７４は、図１３に示すように、表示データメモリ１７０から警告表示シンボルデータを読み出して軸移動の方向を示す矢印先端頭部近傍に表示する。図１３の例では、＋Ａに軸移動する場合は、徐行する旨の警告表示シンボル１８６が、＋Ａの近傍に表示された例である。
【００９８】
なお、前記説明では、工具取付装置が移動する工作機械の場合において、制御部内部のモデルで動作シミュレーションを行い、工具取付装置がバリア領域の手前に設定された徐行領域に入ると前記工具取付装置を減速後徐行させて、バリア領域の境界線上で停止するようにした。反対にワーク取付装置が移動する工作機械の場合は、制御部内部のモデルで動作シミュレーションを行い、ワーク取付装置をバリア領域の手前に設定された徐行領域に入ると減速後徐行させて、バリア領域の境界線上で停止するようにしてもよい。また、工具取付装置及びワーク取付装置の両方がともに移動制御可能になっている場合は、制御部内部のモデルで動作シミュレーションを行い、少なくとも一方を同様にバリア領域の手前に設定された徐行領域に入ると減速後徐行させて、バリア領域の境界線上で停止するようにしてもよい。
【００９９】
また、前記軸移動禁止のインターロック機能において、例えばストロークエンドの少し手前から減速してストロークエンドで停止し、軸移動禁止のインターロック状態になるが、該減速中にも上記警告表示を行っても良い。
【０１００】
（軸構成モデル）
本実施形態では、軸構成モデル１７９として工作機械が備える軸の方向を示す矢印を表示している。これにより、実際の機械の姿勢と軸構成モデルとを照らし合わせて見ることにより、作業者は、手動運転モードで軸移動操作を行う際の、操作する軸と方向を、直感的に理解することができる。
【０１０１】
また、図６及び図８に示したシンボル１８０、球１８１、矢印１８２、１８３、１８４で構成される軸構成モデル１７９に代えて、図１４に示すように工作機械の上面視した状態で、工具主軸シンボル１９０、工具主軸シンボル１９０のＸ軸上及びＹ軸上での移動方向を示す矢印１９１、テーブルのシンボル１９２、テーブル支持ベースを支持する支持部材のシンボル１９３、並びにＡ軸、及びＣ軸の移動方向を示す矢印１９４、１９５、１９６、１９７で構成される軸構成モデル１９８にしてもよい。工作機械の移動自在の構成部材を示すシンボル（工具主軸シンボル１９０、テーブルのシンボル１９２）を表示し、その移動方向を示す矢印１９１、１９４、１９５、１９６、１９７を表示しているので、作業者はどの構成部材がどの方向に移動動作するかについて、直感的に理解することができる。
【０１０２】
また、図１５に示すように、前記工具主軸の軸移動、或いはテーブルの軸移動がある場合には、その工具主軸又はテーブルのシンボルをその軸移動の方向にアニメーションで移動させるようにしてもよい。図１５は、工具主軸シンボル１９０が、＋Ｘ軸の方向に移動する場合を、アニメーションで示した例である。これにより、軸の移動方向が更に直感的に理解できる。
【０１０３】
なお、前記実施形態に限定されるものではなく、下記のようにしてもよい。
【０１０４】
前記実施形態では、説明を省略したが、例えば、手動パルスモード、及び手動運転モードにおいて、前記のように警告表示、又は禁止表示がされた際に、表示コントローラ１７４は、図５に示すように、例えば表示面６０ａのコーナーの表示領域６０ｄにアラーム発生中であることを示す警告表示シンボル１８７を表示してもよい。なお、表示領域は、表示領域６０ｄに限定するものではなく、表示面６０ａの周辺であればよい。また、機内を目視する際に妨げにならなければ、表示面６０ａの中央部を表示領域としてもよい。さらに、表示面６０ａを四角平面状として説明したが、表示面６０ａは四角湾曲面状であっても、円形平面状であってもよい。
【０１０５】
軸構成モデルを表示することで作業者の操作を補助する機能を付加したが、併せて、各軸の現在位置座標、選択工具番号、工具補正データ、ワーク座標データ等のデータを表示することにより、操作盤上の表示装置を見なくても機械やＮＣ装置の状態を把握できるようになり、更に操作性は向上する。
【０１０６】
なお、前記実施形態では、透過型表示装置６０を備えた窓部３９をドア３７に設けたが、前記加工領域７０をカバーするスプラッシュガード３３に窓部３９を設けてもよい、この場合においても前記実施形態と同様の効果を奏する。
【０１０７】
又、前記実施形態では、チルト型旋回テーブルを有する５軸工作機械に具体化したが、チルト型旋回テーブルに限定するものではない。他の形式の５軸工作機械、或いは３軸、４軸工作機械等の他の工作機械に具体化することも可能である。例えば、テーブル５０を、ＸＹ方向に移動自在のＸＹテーブルとしてもよい。
【０１０８】
前記実施形態では、工具取付装置及びワーク取付装置の両者の軸移動の制御を行う工作機械に具体化したが、工具取付装置又はワーク取付装置のいずれか一方の軸移動の制御を行う工作機械に具体化することも可能である。また、前記実施形態の工作機械では、軸数を５軸としたが、軸数に限定されるものではない。
【０１０９】
前記実施形態では、透過型表示装置６０を手動操作補助表示部としたが、透過型表示装置６０の代わりに、窓部３９にハーフミラーを嵌め込みして当該ハーフミラーに画像を投影するプロジェクタ式の表示装置を設け、当該表示装置で軸移動の移動方向を示す画像をリアルタイムに前記ハーフミラーに投影、すなわち表示するようにしてもよい。この場合においても、作業者Ｍは、窓部を介して、前記加工領域７０と、画像とを同時に見ることができる。
【符号の説明】
【０１１０】
１５…自動運転モードボタン、１６…手動運転モードボタン、
２０〜２９…軸選択ボタン、３０…工作機械、３９…窓部、
６０…透過型表示装置、７０…加工領域、１１０…主制御部、
１６６…軸選択ダイヤル。
【図１】
2014054104.tif 000003
【図２】
2014054104.tif 000004
【図３】
2014054104.tif 000005
【図４】
2014054104.tif 000006
【図５】
2014054104.tif 000007
【図６】
2014054104.tif 000008
【図７】
2014054104.tif 000009
【図８】
2014054104.tif 000010
【図９】
2014054104.tif 000011
【図１０】
2014054104.tif 000012
【図１１】
2014054104.tif 000013
【図１２】
2014054104.tif 000014
【図１３】
2014054104.tif 000015
【図１４】
2014054104.tif 000016
【図１５】
2014054104.tif 000017
【図１６】
2014054104.tif 000018
【図１７】
2014054104.tif 000019
【手続補正書】
【提出日】平成27年3月17日(2015.3.17)
【手続補正１】
【補正対象書類名】特許請求の範囲
【補正対象項目名】全文
【補正方法】変更
【補正の内容】
【特許請求の範囲】
【請求項１】
加工工具を装着する工具取付装置と、
前記加工工具により加工されるワークを装着するワーク取付装置と、
前記工具取付装置及び前記ワーク取付装置のいずれか一方又は両者の軸移動の制御を行う制御部と、
手動運転モードと自動運転モードとの切り替えを行うモード切替部と、
手動運転モードにおける前記制御部による軸移動の対象の軸を選択する軸選択スイッチと、
前記加工工具による前記ワークの加工領域をカバーするカバー部と、
前記カバー部に設けられて、作業者が前記加工領域を監視可能な窓部を備える工作機械において、
前記手動運転モードに切り替えられたとき、前記工作機械が備える軸の方向を軸構成モデルとして前記窓部に、前記作業者が前記窓部を介して見る軸の方向と一致するように、表示する手動操作補助表示部を備えることを特徴とする工作機械。
【請求項２】
前記軸構成モデルは複数のシンボルで構成され、複数のシンボルが組み合わされて３次元的に配置されることを特徴とする請求項１に記載の工作機械。
【請求項３】
前記軸構成モデルは、各軸の移動方向に矢印を付したシンボルと、球と、各軸に付与された軸名称及び方向とを備え、前記矢印を付したシンボルと前記球を組み合わせて３次元的に配置されることを特徴とする請求項２に記載の工作機械。
【請求項４】
前記軸構成モデルの上部の領域に、手動運転モードの名称を表示し、前記軸構成モデルの下部の領域に、手動パルスモードの場合は１パルス当たりの移動量を表示し、ジョグモードの場合はジョグ送り速度を表示し、早送りモード及び原点復帰モードの場合は早送りオーバーライド値を表示することを特徴とする請求項３に記載の工作機械。
【請求項５】
前記軸構成モデルは前記窓部のコーナーを含む周辺に設けられる請求項４に記載の工作機械。
【請求項６】
前記軸選択スイッチとして軸選択ボタンを備え、該軸選択ボタンは前記制御部による軸移動の対象の軸を指定し、指定された軸に対して軸移動指令信号を出力するものであり、
前記手動運転モードでは、前記軸選択ボタンの信号に基づいて軸移動動作を行う工作機械において、
前記手動運転モードで前記軸選択ボタンが押された場合、前記手動操作補助表示部は、前記軸構成モデルにおける前記軸選択ボタンにより選択された軸の移動方向の強調表示を行い、
前記軸選択ボタンを押し続けると、前記制御部は、前記手動操作補助表示部による前記軸の移動方向の強調表示後、所定時間経過して初めて前記軸の移動を開始することを特徴とする請求項５に記載の工作機械。
【請求項７】
前記手動運転モードにおける軸移動指令信号を出力する軸移動指令信号発生器を更に備え、
前記手動運転モードでは、前記軸選択スイッチで選択された軸に対して前記軸移動指令信号発生器の信号に基づいて軸移動動作を行う工作機械において、
前記手動運転モードが選択されているとき、
前記手動操作補助表示部は、前記軸構成モデルにおける前記軸選択スイッチにより選択された軸を強調表示することを特徴とする請求項５に記載の工作機械。
【請求項８】
前記制御部は、特定の場所に位置しているときに特定の方向への軸移動を禁止するインターロック機能を有し、
前記手動操作補助表示部は、前記軸構成モデルにおける軸移動禁止のインターロックがかかっている軸の方向について、前記矢印の先端頭部近傍に、軸移動禁止状態であることを示す禁止表示シンボルを表示することを特徴とする請求項５に記載の工作機械。
【請求項９】
前記工具取付装置と、前記ワーク取付装置のそれぞれのモデルをバリア領域として入力する手段を有し、
前記工具取付装置と、前記ワーク取付装置の少なくともいずれか一方を、手動運転モードで動作させるときに、制御部内部のモデルで動作シミュレーションを行い、動作に伴う干渉が発生しないよう、バリア領域手前の徐行領域で減速後徐行し、バリア領域の境界線で停止するバリア機能を有し、
前記手動操作補助表示部は、前記軸構成モデルにおける前記徐行領域に位置している軸の徐行すべき方向について、前記矢印の先端頭部近傍に、徐行中であることを示す警告表示シンボルを表示することを特徴とする請求項５に記載の工作機械。
【請求項１０】
前記軸構成モデルは、前記工作機械の移動自在の構成部材を示すシンボルと、該構成部材の移動方向を示す矢印を表示することを特徴とする請求項１に記載の工作機械。
【請求項１１】
前記手動操作補助表示部は、前記シンボルを移動方向に向かって移動させるアニメーションで表示することを特徴とする請求項１０に記載の工作機械。
【手続補正２】
【補正対象書類名】明細書
【補正対象項目名】００１４
【補正方法】変更
【補正の内容】
【００１４】
上述した課題を解決するため、本発明の工作機械は、加工工具を装着する工具取付装置と、前記加工工具により加工されるワークを装着するワーク取付装置と、前記工具取付装置及び前記ワーク取付装置のいずれか一方又は両者の軸移動の制御を行う制御部と、手動運転モードと自動運転モードとの切り替えを行うモード切替部と、手動運転モードにおける前記制御部による軸移動の対象の軸を選択する軸選択スイッチと、前記加工工具による前記ワークの加工領域をカバーするカバー部と、前記カバー部に設けられて、作業者が前記加工領域を監視可能な窓部を備える工作機械において、前記手動運転モードに切り替えられたとき、前記工作機械が備える軸の方向を軸構成モデルとして前記窓部に、前記作業者が前記窓部を介して見る軸の方向と一致するように、表示する手動操作補助表示部を備えるものである。
【手続補正３】
【補正対象書類名】明細書
【補正対象項目名】００１５
【補正方法】変更
【補正の内容】
【００１５】
この構成によれば、作業者が、窓から見える工作機械内部の各構成部材の位置関係と照らし合わせて、軸選択スイッチを操作したときの軸の移動方向を理解可能であり、正しくかつ素早く軸の操作ができるようになり、軸選択スイッチの誤操作を抑制するとともに、作業者の負担を非常に小さくすることができる。また、正しくかつ素早く軸選択スイッチの操作ができることから、手動介入が頻繁に行われる初品の加工時間の短縮が可能となる。
前記軸構成モデルは複数のシンボルで構成され、複数のシンボルが組み合わされて３次元的に配置されることが望ましい。
前記軸構成モデルは、各軸の移動方向に矢印を付したシンボルと、球と、各軸に付与された軸名称及び方向とを備え、前記矢印を付したシンボルと前記球を組み合わせて３次元的に配置されることが望ましい。
前記軸構成モデルの上部の領域に、手動運転モードの名称を表示し、前記軸構成モデルの下部の領域に、手動パルスモードの場合は１パルス当たりの移動量を表示し、ジョグモードの場合はジョグ送り速度を表示し、早送りモード及び原点復帰モードの場合は早送りオーバーライド値を表示することが望ましい。
前記軸構成モデルは前記窓部のコーナーを含む周辺に設けられることが望ましい。
【手続補正４】
【補正対象書類名】明細書
【補正対象項目名】００１６
【補正方法】変更
【補正の内容】
【００１６】
前記軸選択スイッチとして軸選択ボタンを備え、該軸選択ボタンは前記制御部による軸移動の対象の軸を指定し、指定された軸に対して軸移動指令信号を出力するものであり、前記手動運転モードでは、前記軸選択ボタンの信号に基づいて軸移動動作を行う工作機械において、前記手動運転モードで前記軸選択ボタンが押された場合、前記手動操作補助表示部は、前記軸構成モデルにおける前記軸選択ボタンにより選択された軸の移動方向の強調表示を行い、前記軸選択ボタンを押し続けると、前記制御部は、前記手動操作補助表示部による前記軸の移動方向の強調表示後、所定時間経過して初めて前記軸の移動を開始することが好ましい。
【手続補正５】
【補正対象書類名】明細書
【補正対象項目名】００１７
【補正方法】変更
【補正の内容】
【００１７】
この構成によれば、手動運転モードで軸選択ボタンが押されたとき、前記軸の移動方向の強調表示が行われた後、所定時間経過して初めて前記軸の移動が開始される。このため、作業者は、強調表示された軸の移動方向が、所望している軸の移動方向でない場合には、所定時間の間に、その軸選択スイッチの操作を解除することができる。
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】変更
【補正の内容】
【００２０】
前記手動運転モードにおける軸移動指令信号を出力する軸移動指令信号発生器を更に備え、前記手動運転モードでは、前記軸選択スイッチで選択された軸に対して前記軸移動指令信号発生器の信号に基づいて軸移動動作を行う工作機械において、前記手動運転モードが選択されているとき、前記手動操作補助表示部は、前記軸構成モデルにおける前記軸選択スイッチにより選択された軸を強調表示することが好ましい。
【手続補正９】
【補正対象書類名】明細書
【補正対象項目名】００２２
【補正方法】変更
【補正の内容】
【００２２】
前記制御部は、特定の場所に位置しているときに特定の方向への軸移動を禁止するインターロック機能を有し、前記手動操作補助表示部は、前記軸構成モデルにおける軸移動禁止のインターロックがかかっている軸の方向について、前記矢印の先端頭部近傍に、軸移動禁止状態であることを示す禁止表示シンボルを表示することが好ましい。
【手続補正１０】
【補正対象書類名】明細書
【補正対象項目名】００２３
【補正方法】変更
【補正の内容】
【００２３】
この構成によれば、軸移動禁止のインターロックがかかっている軸について、前記矢印の先端頭部近傍に、軸移動禁止状態であることを示す禁止表示シンボルが表示されるため、作業者は、操作しようとした軸選択スイッチが軸移動禁止のインターロックがかかっていることを実際に操作する前に知ることができる。
【手続補正１１】
【補正対象書類名】明細書
【補正対象項目名】００２４
【補正方法】変更
【補正の内容】
【００２４】
前記工具取付装置と、前記ワーク取付装置のそれぞれのモデルをバリア領域として入力する手段を有し、前記工具取付装置と、前記ワーク取付装置の少なくともいずれか一方を、手動運転モードで動作させるときに、制御部内部のモデルで動作シミュレーションを行い、動作に伴う干渉が発生しないよう、バリア領域手前の徐行領域で減速後徐行し、バリア領域の境界線で停止するバリア機能を有し、前記手動操作補助表示部は、前記徐行領域に位置している軸の徐行すべき方向について、前記矢印の先端頭部近傍に、徐行中であることを示す警告表示シンボルを表示することが好ましい。
【手続補正１２】
【補正対象書類名】明細書
【補正対象項目名】００２５
【補正方法】変更
【補正の内容】
【００２５】
この構成によれば、徐行中であることを示す警告表示シンボルが前記矢印の先端頭部近傍に表示されているため、作業者が所望の速度ではなく、徐行速度で移動しても違和感なく操作ができる。また、作業者は徐行方向が分かることで容易に干渉の回避方向を知ることができる。
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】削除
【補正の内容】
【手続補正書】
【提出日】平成27年6月17日(2015.6.17)
【手続補正１】
【補正対象書類名】特許請求の範囲
【補正対象項目名】全文
【補正方法】変更
【補正の内容】
【特許請求の範囲】
【請求項１】
加工工具を装着する工具取付装置と、
前記加工工具により加工されるワークを装着するワーク取付装置と、
前記工具取付装置及び前記ワーク取付装置のいずれか一方又は両者の軸移動の制御を行う制御部と、
手動運転モードと自動運転モードとの切り替えを行うモード切替部と、
手動運転モードにおける前記制御部による軸移動の対象の軸を選択する軸選択スイッチと、
前記モード切替部と前記軸選択スイッチを操作面に備える操作盤と、
前記加工工具による前記ワークの加工領域をカバーするカバー部と、
前記カバー部の正面側に設けられて、作業者が前記加工領域を監視可能な窓部と、
前記窓部に軸の方向を表示する手動操作補助表示部を備える工作機械において、
前記軸選択スイッチを２次元的に配置した操作面を備える操作盤はカバー部の正面側に、窓部と平行及び直交する位置を含むように回転自在に支持されており、
前記手動運転モードに切り替えられたとき、前記手動操作補助表示部に、前記作業者が前記窓部を介して見る軸の方向と一致するように、前記工作機械が備える軸の方向を表す軸構成モデルを表示し、
前記軸構成モデルは複数のシンボルで構成され、複数のシンボルが組み合わされて３次元的に配置され、
前記軸構成モデルには、各軸の軸名称及び方向が付与されることを特徴とする工作機械。
【請求項２】
前記軸構成モデルは、各軸の移動方向に矢印を付したシンボルと、球を備え、前記矢印を付したシンボルと前記球を組み合わせて３次元的に配置されることを特徴とする請求項１に記載の工作機械。
【請求項３】
前記軸構成モデルの上部の領域に、手動運転モードの名称を表示し、前記軸構成モデルの下部の領域に、手動パルスモードの場合は１パルス当たりの移動量を表示し、ジョグモードの場合はジョグ送り速度を表示し、早送りモード及び原点復帰モードの場合は早送りオーバーライド値を表示することを特徴とする請求項２に記載の工作機械。
【請求項４】
前記軸構成モデルは前記窓部のコーナーを含む周辺に設けられる請求項３に記載の工作機械。
【請求項５】
加工工具を装着する工具取付装置と、
前記加工工具により加工されるワークを装着するワーク取付装置と、
前記工具取付装置及び前記ワーク取付装置のいずれか一方又は両者の軸移動の制御を行う制御部と、
手動運転モードと自動運転モードとの切り替えを行うモード切替部と、
手動運転モードにおける前記制御部による軸移動の対象の軸を選択する軸選択スイッチと、
前記加工工具による前記ワークの加工領域をカバーするカバー部と、
前記カバー部に設けられて、作業者が前記加工領域を監視可能な窓部を備える工作機械であって、
前記手動運転モードに切り替えられたとき、前記工作機械が備える軸の方向を軸構成モデルとして前記窓部に、前記作業者が前記窓部を介して見る軸の方向と一致するように、表示する手動操作補助表示部を備え、
前記軸選択スイッチとして軸選択ボタンを備え、該軸選択ボタンは前記制御部による軸移動の対象の軸を指定し、指定された軸に対して軸移動指令信号を出力するものであり、
前記手動運転モードでは、前記軸選択ボタンの信号に基づいて軸移動動作を行う工作機械において、
前記手動運転モードで前記軸選択ボタンが押された場合、前記手動操作補助表示部は、前記軸構成モデルにおける前記軸選択ボタンにより選択された軸の移動方向の強調表示を行い、
前記軸選択ボタンを押し続けると、前記制御部は、前記手動操作補助表示部による前記軸の移動方向の強調表示後、所定時間経過して初めて前記軸の移動を開始することを特徴とする工作機械。
【請求項６】
加工工具を装着する工具取付装置と、
前記加工工具により加工されるワークを装着するワーク取付装置と、
前記工具取付装置及び前記ワーク取付装置のいずれか一方又は両者の軸移動の制御を行う制御部と、
手動運転モードと自動運転モードとの切り替えを行うモード切替部と、
手動運転モードにおける前記制御部による軸移動の対象の軸を選択する軸選択スイッチと、
前記加工工具による前記ワークの加工領域をカバーするカバー部と、
前記カバー部に設けられて、作業者が前記加工領域を監視可能な窓部を備える工作機械であって、
前記手動運転モードに切り替えられたとき、前記工作機械が備える軸の方向を軸構成モデルとして前記窓部に、前記作業者が前記窓部を介して見る軸の方向と一致するように、表示する手動操作補助表示部を備え、
前記手動運転モードにおける軸移動指令信号を出力する軸移動指令信号発生器を更に備え、
前記手動運転モードでは、前記軸選択スイッチで選択された軸に対して前記軸移動指令信号発生器の信号に基づいて軸移動動作を行う工作機械において、
前記手動運転モードが選択されているとき、
前記手動操作補助表示部は、前記軸構成モデルにおける前記軸選択スイッチにより選択された軸を強調表示することを特徴とする工作機械。
【請求項７】
加工工具を装着する工具取付装置と、
前記加工工具により加工されるワークを装着するワーク取付装置と、
前記工具取付装置及び前記ワーク取付装置のいずれか一方又は両者の軸移動の制御を行う制御部と、
手動運転モードと自動運転モードとの切り替えを行うモード切替部と、
手動運転モードにおける前記制御部による軸移動の対象の軸を選択する軸選択スイッチと、
前記加工工具による前記ワークの加工領域をカバーするカバー部と、
前記カバー部に設けられて、作業者が前記加工領域を監視可能な窓部を備える工作機械であって、
前記手動運転モードに切り替えられたとき、前記工作機械が備える軸の方向を軸構成モデルとして前記窓部に、前記作業者が前記窓部を介して見る軸の方向と一致するように、表示する手動操作補助表示部を備える工作機械において、
前記軸構成モデルは、各軸の移動方向に矢印を付したシンボルが３次元的に配置され、
前記制御部は、特定の場所に位置しているときに特定の方向への軸移動を禁止するインターロック機能を有し、
前記手動操作補助表示部は、前記軸構成モデルにおける軸移動禁止のインターロックがかかっている軸の方向について、前記矢印の先端頭部近傍に、軸移動禁止状態であることを示す禁止表示シンボルを表示することを特徴とする工作機械。
【請求項８】
加工工具を装着する工具取付装置と、
前記加工工具により加工されるワークを装着するワーク取付装置と、
前記工具取付装置及び前記ワーク取付装置のいずれか一方又は両者の軸移動の制御を行う制御部と、
手動運転モードと自動運転モードとの切り替えを行うモード切替部と、
手動運転モードにおける前記制御部による軸移動の対象の軸を選択する軸選択スイッチと、
前記加工工具による前記ワークの加工領域をカバーするカバー部と、
前記カバー部に設けられて、作業者が前記加工領域を監視可能な窓部を備える工作機械であって、
前記手動運転モードに切り替えられたとき、前記工作機械が備える軸の方向を軸構成モデルとして前記窓部に、前記作業者が前記窓部を介して見る軸の方向と一致するように、表示する手動操作補助表示部を備える工作機械において、
前記軸構成モデルは、各軸の移動方向に矢印を付したシンボルが３次元的に配置され、
前記工具取付装置と、前記ワーク取付装置のそれぞれのモデルをバリア領域として入力する手段を有し、
前記工具取付装置と、前記ワーク取付装置の少なくともいずれか一方を、手動運転モードで動作させるときに、制御部内部のモデルで動作シミュレーションを行い、動作に伴う干渉が発生しないよう、バリア領域手前の徐行領域で減速後徐行し、バリア領域の境界線で停止するバリア機能を有し、
前記手動操作補助表示部は、前記軸構成モデルにおける前記徐行領域に位置している軸の徐行すべき方向について、前記矢印の先端頭部近傍に、徐行中であることを示す警告表示シンボルを表示することを特徴とする工作機械。
【請求項９】
前記軸構成モデルは、前記工作機械の移動自在の構成部材を示すシンボルと、該構成部材の移動方向を示す矢印を表示することを特徴とする請求項１に記載の工作機械。
【請求項１０】
前記手動操作補助表示部は、前記シンボルを移動方向に向かって移動させるアニメーションで表示することを特徴とする請求項９に記載の工作機械。
【手続補正２】
【補正対象書類名】明細書
【補正対象項目名】００１４
【補正方法】変更
【補正の内容】
【００１４】
上述した課題を解決するため、本発明の工作機械は、加工工具を装着する工具取付装置と、前記加工工具により加工されるワークを装着するワーク取付装置と、前記工具取付装置及び前記ワーク取付装置のいずれか一方又は両者の軸移動の制御を行う制御部と、手動運転モードと自動運転モードとの切り替えを行うモード切替部と、手動運転モードにおける前記制御部による軸移動の対象の軸を選択する軸選択スイッチと、前記モード切替部と前記軸選択スイッチを操作面に備える操作盤と、前記加工工具による前記ワークの加工領域をカバーするカバー部と、前記カバー部の正面側に設けられて、作業者が前記加工領域を監視可能な窓部と、前記窓部に軸の方向を表示する手動操作補助表示部を備える工作機械において、前記軸選択スイッチを２次元的に配置した操作面を備える操作盤はカバー部の正面側に、窓部と平行及び直交する位置を含むように回転自在に支持されており、前記手動運転モードに切り替えられたとき、前記手動操作補助表示部に、前記作業者が前記窓部を介して見る軸の方向と一致するように、前記工作機械が備える軸の方向を表す軸構成モデルを表示し、前記軸構成モデルは複数のシンボルで構成され、複数のシンボルが組み合わされて３次元的に配置され、前記軸構成モデルには、各軸の軸名称及び方向が付与されるものである。
【手続補正３】
【補正対象書類名】明細書
【補正対象項目名】００１５
【補正方法】変更
【補正の内容】
【００１５】
この構成によれば、作業者が、窓から見える工作機械内部の各構成部材の位置関係と照らし合わせて、軸選択スイッチを操作したときの軸の移動方向を理解可能であり、正しくかつ素早く軸の操作ができるようになり、軸選択スイッチの誤操作を抑制するとともに、作業者の負担を非常に小さくすることができる。また、正しくかつ素早く軸選択スイッチの操作ができることから、手動介入が頻繁に行われる初品の加工時間の短縮が可能となる。
前記軸構成モデルは、各軸の移動方向に矢印を付したシンボルと、球を備え、前記矢印を付したシンボルと前記球を組み合わせて３次元的に配置されることが望ましい。
前記軸構成モデルの上部の領域に、手動運転モードの名称を表示し、前記軸構成モデルの下部の領域に、手動パルスモードの場合は１パルス当たりの移動量を表示し、ジョグモードの場合はジョグ送り速度を表示し、早送りモード及び原点復帰モードの場合は早送りオーバーライド値を表示することが望ましい。
前記軸構成モデルは前記窓部のコーナーを含む周辺に設けられることが望ましい。
【国際調査報告】
2014054104.tif 000020
2014054104.tif 000021
2014054104.tif 000022
2014054104.tif 000023